(57)【要約】【課題】  誤ったキー操作により機器を起動した場合でも、正しいキー操作をすると、最短の時間で正しい動作モードに遷移することができるようにする。【解決手段】  外部からのコマンドを受信する受信回路２７と、この受信回路２７の受信したコマンドを保存するバッファと、コマンドの示す処理を実行する制御回路２０とを設ける。制御回路２０は、受信回路２７がコマンドを受信したとき、どのコマンドに対しても共通する起動処理を実行し、この起動処理の実行後、バッファからこれに保存されているコマンドを取り出し、この取り出したコマンドに対応する処理を実行する。【選択図】  図１
2009070438.tif 000002
【特許請求の範囲】
【請求項１】
外部からのコマンドを受信する受信回路と、
この受信回路の受信した上記コマンドを保存するバッファと、
上記コマンドの示す処理を実行する制御回路と
を有し、
上記制御回路は、
上記受信回路が上記コマンドを受信したとき、どのコマンドに対しても共通する起動処理を実行し、
この起動処理の実行後、上記バッファからこれに保存されているコマンドを取り出し、
この取り出したコマンドに対応する処理を実行する
ようにした情報機器。
【請求項２】
請求項１に記載の情報機器において、
上記起動処理が実行済みの場合には、上記受信回路が上記コマンドを受信したとき、上記起動処理の実行をスキップしてその受信したコマンドに対応する処理を実行する
ようにした情報機器。
【請求項３】
外部からのコマンドを受信したとき、この受信したコマンドをバッファに保存するとともに、
どのコマンドに対しても共通する起動処理を実行し、
この起動処理の実行後、上記バッファからこれに保存されているコマンドを取り出し、
この取り出したコマンドに対応する処理を実行する
ようにした情報機器の制御方法。
【請求項４】
請求項３に記載の制御方法において、
上記起動処理が実行済みの場合には、上記コマンドを受信したとき、上記起動処理の実行をスキップしてその受信したコマンドに対応する処理を実行する
ようにした情報機器の制御方法。
【発明の詳細な説明】
【技術分野】
【０００１】
この発明は、ＡＶ機器やパーソナルコンピュータなどの情報機器に関する。
【背景技術】
【０００２】
記録媒体として、ハードディスクやブルーレイディスクを使用するビデオレコーダがある。さらに、そのようなビデオレコーダとして、電源投入時のキー操作を簡単化したものがある。
【０００３】
このキー操作を簡単化したビデオレコーダにおいては、例えば図４Ａに示すように、
(1) 任意の時点ｔ0に再生キーを押すと、下記の再生用の起動準備処理が実行される。 
(2) 時点ｔ1に再生用の起動準備処理を終了すると、時点ｔ1から再生モードに遷移し、ハードディスクあるいはブルーレイディスクの再生が開始される。  
ものである。
【０００４】
そして、(1)項の再生用の起動準備処理には、
(1A) ビデオレコーダの電源をオンにする。  
(1B) ビデオレコーダに内蔵されているハードディスクから各種のプログラムをＲＡＭにロードし、そのロードされたプログラムのうちの再生用のプログラムを起動する。  
(1C) 今の場合、再生キーにより起動されたので、再生用の準備処理をする。例えば、ブルーレイディスクが挿入されているか否かを判別し、挿入されているときには、そのコンテンツの管理情報をブルーレイディスクから読み出し、以後の処理に備える。  
などの処理が含まれる。
【０００５】
なお、先行技術文献として例えば以下のものがある。
【特許文献１】特開２００７−１１０１７６号公報
【発明の開示】
【発明が解決しようとする課題】
【０００６】
ところで、上述のビデオレコーダにおいて、例えば図４Ｂに示すように、再生用の起動準備処理が行われている期間ｔ0〜ｔ1の時点ｔrに、録画キーを押したとする。しかし、上述のビデオレコーダにおいては、期間ｔ0〜ｔ1には、再生用の起動準備処理が続行されているので、その起動準備処理が終了した時点ｔ1になったとき、録画キーの押されたことが判別される。そして、図４Ｂに示すように、この時点ｔ1から録画用の準備処理が開始され、この準備処理が時点ｔ2に終了すると、この時点ｔ2にビデオレコーダは録画モードに遷移し、以後、録画が実行されるようになる。
【０００７】
したがって、再生キーを押してビデオレコーダを起動し、その後、録画キーを押しても、時点ｔ2になるまで、録画を実行することはできない。すなわち、誤ったキー操作によりビデオビデオレコーを起動した場合、その後、正しいキー操作をしても、最初の誤ったキー操作に対応する起動準備処理が終了し、さらに、正しいキー操作に対する準備処理が終了するまで、目的とする処理は開始されない。
【０００８】
しかも、期間ｔ0〜ｔ1の長さは、ビデオレコーダの状態や起動時に操作したキーにより異なるが、例えば、ブルーレイディスクのように大きな容量のディスクを使用している場合には、その容量に対応して期間ｔ0〜ｔ1が２〜３分に達することがある。つまり、誤ったキー操作によりビデオビデオレコーを起動すると、その後、正しいキー操作をしても、かなりの期間、目的とする動作が開始されないことになる。
【０００９】
この発明は、以上のような問題点を解決しようとするものである。
【課題を解決するための手段】
【００１０】
この発明においては、
外部からのコマンドを受信する受信回路と、
この受信回路の受信した上記コマンドを保存するバッファと、
上記コマンドの示す処理を実行する制御回路と
を有し、
上記制御回路は、
上記受信回路が上記コマンドを受信したとき、どのコマンドに対しても共通する起動処理を実行し、
この起動処理の実行後、上記バッファからこれに保存されているコマンドを取り出し、
この取り出したコマンドに対応する処理を実行する
ようにした情報機器
とするものである。
【発明の効果】
【００１１】
この発明によれば、誤ったキー操作により情報機器を起動した場合でも、その後、正しいキー操作をすれば、最初の誤ったキー操作がキャンセルされて正しいキー操作に対する準備処理が実行され、最短の時間で正しい動作モードに遷移することができる。
【発明を実施するための最良の形態】
【００１２】
〔１〕  ビデオレコーダの構成例
図１は、この発明を適用したビデオレコーダの一例を示し、この例においては、記録媒体として、ハードディスクおよびブルーレイディスクを使用する場合である。
【００１３】
図１において、符号１０は録画再生回路を示し、この録画再生回路１０は、チューナ回路１１、ハードディスクドライブ１２、ブルーレイディスクドライブ１３、書き込み・読み出し回路１４を有する。この場合、チューナ回路１１は、例えば地上テレビ放送、ＢＳテレビ放送およびＣＳテレビ放送を受信してそれらのデジタル映像信号およびデジタル音声信号を、書き込み・読み出し回路１４に供給するものである。
【００１４】
また、ハードディスクドライブ１２は、チューナ回路１１の受信した放送を録画・再生するための記憶装置であるとともに、ＯＳおよび各種のアプリケーションプログラムを保存している。このアプリケーションプログラムの一部として、この発明による処理ルーチンが含まれるもので、図３にその処理ルーチン１００の一例を示す。なお、図３においては、処理ルーチン１００は、この発明に関係する部分だけを抜粋して示している。
【００１５】
さらに、書き込み・読み出し回路１４は、ハードディスクドライブ１２あるいはブルーレイディスクドライブ１３の書き込み・読み出しを制御するものである。すなわち、録画時、チューナ回路１１から供給されたデジタル信号を、ハードディスクドライブ１２あるいはブルーレイディスクドライブ１３を通じてハードディスクあるいはブルーレイディスクに選択的に書き込み、再生時、ハードディスクドライブ１２あるいはブルーレイディスクドライブ１３を通じてハードディスクあるいはブルーレイディスクに書き込まれているデジタル信号を読み出すものである。さらに、書き込み・読み出し回路１４は、ハードディスクドライブ１２とブルーレイディスクドライブ１３との間で、ハードディスクおよびブルーレイディスクに書き込まれているデジタル信号のコピーや移動を行うものである。
【００１６】
そして、書き込み・読み出し回路１４により読み出されたデジタル信号のうち、映像信号が、表示制御回路１５に供給されてＤ／Ａ変換などの処理が行われてからコネクタ１６を通じてディスプレイ３１に供給され、画像として表示される。また、書き込み・読み出し回路１４により読み出されたデジタル信号のうち、音声信号が音声制御回路１７に供給されてＤ／Ａ変換などの処理が行われてからコネクタ１８を通じてスピーカ３２に供給され、音響として出力される。
【００１７】
さらに、符号２０は、録画再生回路１０を制御するシステム制御回路を示す。このシステム制御回路２０は、マイクロコンピュータにより構成されているもので、これは、各種のプログラムを実行するＣＰＵ２１と、イニシャルプログラムローダが保存されている不揮発性メモリ２２と、ワークエリア用のＲＡＭ２３とを有し、これらメモリ２２、２３はシステムバス２９を通じてＣＰＵ２１に接続されている。
【００１８】
また、システムバス２９には、入出力インターフェイス回路２４が接続され、そのコネクタ２５に接続された他のＡＶ機器（図示せず）との間で、各種の信号をやりとりできるようにされている。なお、この入出力インターフェイス回路２４あるいはこれが扱う信号の形式としては、ＨＤＭＩ（登録商標）、イーサネット（登録商標）、ＲＳ−２３２Ｃなどがある。
【００１９】
さらに、例えば赤外線式のリモコン（遠隔操作）の送信機３３が用意され、この送信機３３から出力される赤外線信号が受信回路２６により受信されてビデオレコーダを操作するためのコマンドCMNDにデコードされて取り出され、このコマンドCMNDがインターフェイス回路２６に供給される。この場合、例えば図２に示すように、インターフェイス回路２６にはコマンドバッファ２６Ｃが用意され、受信回路２６から出力されたコマンドCMNDは、そのコマンドバッファ２６Ｃに保存され、必要なときにＣＰＵ２１によりバッファ２６Ｃから取り出される。
【００２０】
さらに、送信機３３の操作キーの押されたことが受信回路２７からインターフェイス回路２６を通じてＣＰＵ２１に通知される。この通知によりＣＰＵ２１はルーチン１００の実行を開始するが、ルーチン１００の実行中に、再度、送信機３３の操作キーの押されたことがＣＰＵ２１に通知された場合には、その再度の通知は無視されるものとする。
【００２１】
また、システムバス２９には、このビデオレコーダに対する一部の操作をリモコンによらずに直接の操作により実行するための各種の操作キーＫ1〜Ｋnがインターフェイス回路２８を通じて接続される。さらに、システム制御回路２０から、録画再生回路１０の各回路１１、１４、１５、１７にそれらの制御信号が供給され、チューナ回路１１における受信バンドや受信チャンネル、書き込み・読み出し回路１４により実行される書き込み・読み出しなどが制御される。
【００２２】
なお、図示はしないが、録画再生回路１０の電源回路と、システム制御回路２０の電源回路とは分離され、システム制御回路２０は常に電源が供給されて常に動作状態とされるが、録画再生回路１０は、システム制御回路２０からの制御により電源がオン・オフされる。そして、録画再生回路１０の電源がオンの状態がビデオレコーダの電源がオンの状態であり、録画再生回路１０の電源がオフの状態がビデオレコーダの電源がオフの状態である。
【００２３】
〔２〕  動作の例
このビデオレコーダには、各種の動作モードがあるが、ここでは、再生モードおよび録画モードに遷移する場合により代表して説明する。
【００２４】
〔２−１〕  ビデオレコーダの電源がオフの状態
ビデオレコーダの電源がオフの状態であっても、システム制御回路２０の電源はオンとされている。そして、この状態では、ＣＰＵ２１により不揮発性メモリ２２のイニシャルプログラムローダが実行され、ハードディスクドライブ１２からＯＳが読み出されてＲＡＭ２３に転送され、次にこの転送されたＯＳによりハードディスクドライブ１２からルーチン１００などのアプリケーションプログラムが読み出されてＲＡＭ２３にロードされている。そして、後述するように、ＲＡＭ２３にロードされているプログラムがＣＰＵ２１により実行される。
【００２５】
〔２−２〕  電源がオフの状態から再生キーを押した場合
ビデオレコーダの電源がオフであっても、任意の時点ｔ0に、送信機３３の操作キーのうちの再生キーを押すと、これが赤外線により受信回路２７に通知され、受信回路２７からは再生キーの押されたことを示すデータ、すなわち、再生を指示するコマンドCMNDが出力され、このコマンドCMNDがインターフェイス回路２６のコマンドバッファ２６Ｃに保存されるとともに、送信機３３の操作キーの押されたことが受信回路２７からインターフェイス回路２６を通じてＣＰＵ２１に通知される。
【００２６】
すると、ＣＰＵ２１の処理がルーチン１００のステップ１０１からスタートし、次にステップ１０２において、ビデオレコーダの電源のオン・オフがチェックされ、今の場合、電源はオフなので、処理はステップ１０２からステップ１０３に進み、このステップ１０３において、図４Ｃに示すように、時点ｔ0から「共通の起動処理」が実行される。
【００２７】
この共通の起動処理は、ビデオレコーダの電源がオフの場合に、ビデオレコーダのどの動作モードを選択したときでも、その動作モードを実現するために必要な処理であり、例えば、
(11) 録画再生回路１０の電源がオンとする。  
(12) ハードディスクドライブ１２のファイル管理情報をＲＡＭ２３に取り込む。  
(13) ブルーレイディスクがドライブ１３にセットされているときには、そのファイル管理情報をＲＡＭ２３に取り込む。  
(14) 録画再生回路１０の各部の状態をあらかじめ設定しておいた状態にする。  
などの処理が含まれる。
【００２８】
そして、時点ｔ11に共通の起動処理を終了すると、処理はステップ１０３からステップ１１１に進み、このステップ１１１において、コマンドバッファ２６Ｃに保存されているコマンドCMND、今の場合、再生を指示するコマンドCMNDが取り出され、次にステップ１１２において、ステップ１１１により取り出されたコマンドCMNDが、送信機３３の電源キーの操作によるコマンドCMNDであるか否かが判別され、今の場合、電源キーの操作によるコマンドCMNDではないので、処理はステップ１１２からステップ１１３に進む。
【００２９】
そして、このステップ１１３において、ステップ１１１により取り出されたコマンドCMNDが、送信機３３の再生キーの操作によるコマンドCMNDであるか否かが判別され、今の場合、再生キーの操作によるコマンドCMNDなので、処理はステップ１１３からステップ１３１に進み、このステップ１３１において、図４Ｃの時点ｔ11以降に示すように、「再生の準備処理」が実行される。この再生の準備処理は、このビデオレコーダの再生モードにするために必要な処理であり、例えば、
(21) ハードディスクドライブ１２から再生用プログラムをＲＡＭ２３にロードする。 
(22) ロードした再生用プログラムを起動する。  
などの処理が含まれる。
【００３０】
したがって、時点ｔ12に再生の準備処理を終了すると、この時点ｔ12から録画再生回路１０は再生モードとなり、ハードディスクドライブ１２のハードディスクあるいはブルーレイディスクドライブ１３のブルーレイディスクの再生が開始される。
【００３１】
こうして、ビデオレコーダの電源がオフであっても、送信機３３の再生キーを押すと、ビデオレコーダは電源がオンとなって再生モードに遷移する。
【００３２】
〔２−３〕  電源がオフの状態から再生キーを押したのちに、録画キーを押した場合
図４Ｃに示すように、電源がオフの状態で再生キーを押すと、本来ならば、期間ｔ0〜ｔ11に共通の起動処理が実行され、その後、再生の準備処理が実行される。しかし、図４Ｄに示すように、共通の起動処理が実行されている期間ｔ0〜ｔ11の時点ｔrに、送信機３３の操作キーのうちの録画キーを押したときには、以下のような処理が実行される。
【００３３】
すなわち、期間ｔ0〜ｔ11のうちの任意の時点ｔrに、送信機３３の操作キーのうちの録画キーを押すと、これが受信回路２７に通知され、録画キーの押されたことを示すデータ、つまり、録画を指示するコマンドCMNDがコマンドバッファ２６Ｃに保存されるとともに、送信機３３の操作キーの押されたことが受信回路２７からインターフェイス回路２６を通じてＣＰＵ２１に通知される。
【００３４】
したがって、今の場合、図４Ｄに示すように、再生キーの操作によりＣＰＵ２１の処理がステップ１０１からスタートして時点ｔ11にステップ１１１が実行されるが、このステップ１１１において取り出されるコマンドCMNDは、録画キーが操作されたことを示すコマンドとなり、この結果、処理はステップ１１１からステップ１１２を通じてステップ１１３に進み、さらにステップ１１４に進む。
【００３５】
そして、このステップ１１４において、ステップ１１１により取り出されたコマンドCMNDが、送信機３３の録画キーの操作によるコマンドCMNDであるか否かが判別され、今の場合、録画キーの操作によるコマンドCMNDなので、処理はステップ１１４からステップ１４１に進み、このステップ１４１において、図４Ｄの時点ｔ11以降に示すように、「録画の準備処理」が実行される。この録画の準備処理は、このビデオレコーダの録画モードにするために必要な処理であり、例えば、
(21) ハードディスクドライブ１２から録画用プログラムをＲＡＭ２３にロードする。 
(22) ロードした録画用プログラムを起動する。  
などの処理が含まれる。
【００３６】
そして、時点ｔ12に録画の準備処理を終了すると、この時点ｔ12から録画再生回路１０は録画モードとなり、ハードディスクドライブ１２のハードディスクあるいはブルーレイディスクドライブ１３のブルーレイディスクへの録画が開始される。
【００３７】
こうして、ビデオレコーダの電源がオフの状態から再生キーを押したのちに、録画キーを押した場合には、たとえ再生キーを押して起動しても、ビデオレコーダは電源がオンとなってから最短の時間で録画モードに遷移する。
【００３８】
〔２−４〕  電源がオンの状態（停止モード）で再生キーを押した場合
ビデオレコーダの電源がオンとされるのは、ステップ１０３の共通の起動処理が実行されたときであり、したがって、電源がオンの状態で再生キーを押した場合には、ステップ１０３の共通の起動処理を実行する必要はない。
【００３９】
そこで、ビデオレコーダの電源がオンの状態（停止モード）で再生キーを押した場合には、以下のような処理が実行される。すなわち、ビデオレコーダの電源がオンの状態で送信機３３の操作キーのうちの電源キーを押すと、これが受信回路２７に通知され、電源キーの押されたことを示すデータ、つまり電源のオン・オフを指示するコマンドCMNDがコマンドバッファ２６Ｃに保存されるとともに、送信機３３の操作キーの押されたことが受信回路２７からインターフェイス回路２６を通じてＣＰＵ２１に通知される。
【００４０】
そして、上述のように、ＣＰＵ２１の処理がステップ１０１からスタートし、次にステップ１０２においてビデオレコーダの電源のオン・オフがチェックされるが、今の場合、電源はオンなので、処理はステップ１０２からステップ１０３をスキップしてステップ１１１に進む。
【００４１】
そして、以後、〔２−２〕の場合と同様の処理が実行され、録画再生回路１０は再生モードとなり、ハードディスクドライブ１２のハードディスクあるいはブルーレイディスクドライブ１３のブルーレイディスクの再生が開始される。
【００４２】
こうして、ビデオレコーダの電源がオンの場合には、共通の起動処理を実行することなく、再生モードに遷移する。
【００４３】
〔２−４〕  電源がオフ状態で電源キーを押した場合
ビデオレコーダの電源がオフの場合に、送信機３３の操作キーのうちの電源キーを押すと、これが受信回路２７に通知され、電源キーの押されたことを示すデータ、すなわち、電源のオン・オフを指示するコマンドCMNDがコマンドバッファ２６Ｃに保存されるとともに、送信機３３の操作キーの押されたことが受信回路２７からインターフェイス回路２６を通じてＣＰＵ２１に通知される。
【００４４】
したがって、上述のように、ＣＰＵ２１の処理がステップ１０１からスタートするが、今の場合、電源がオフなので、処理はステップ１０２からステップ１０３に進み、このステップ１０３における「共通の起動処理」によりビデオレコーダの電源がオンとされる。
【００４５】
そして、ステップ１１１において取り出されるコマンドCMNDは、電源キーが操作されたことを示すコマンドとなるので、処理はステップ１１２からステップ１２１に進み、このステップ１２１において、ルーチン１００を終了する。
【００４６】
したがって、ビデオレコーダの電源がオフの場合に、送信機３３の操作キーのうちの電源キーを押すと、ビデオレコーダの電源がオンになる。また、このとき、共通の起動処理が実行される。
【００４７】
〔２−５〕  まとめ
上述のビデオレコーダによれば、図４Ｃに示すように、電源がオフであっても再生キーを押すと、共通の起動処理が実行され、この共通の起動処理に続いて再生の準備処理が実行されて再生モードとなるが、図４Ｄに示すように、共通の起動処理が終了するまでに録画キーを押すと、共通の起動処理に続いて録画の準備処理が実行されて録画モードとなる。すなわち、電源がオフであっても、動作モードを指示する操作キーを押すと、共通の起動処理が実行されるとともに、この共通起動処理が終了するまでに押された操作キーのうちの最後に押された操作キーに対応する準備処理が実行される。
【００４８】
したがって、誤ったキー操作によりビデオビデオレコーを起動した場合でも、その後、正しいキー操作をすれば、最初の誤ったキー操作がキャンセルされて正しいキー操作に対する準備処理が実行されることになり、最短の時間で正しい動作モードに遷移することができる。
【００４９】
〔２−６〕  その他
上述においては、コマンドバッファ２６Ｃがインターフェイス回路２６に用意されているとしたが、受信回路２７の出力段に設けれてもよく、ＲＡＭ２３の一部のエリアとすることもできる。
【００５０】
また、上述においては、リモコン送信機３３からのコマンドCMNDにしたがってルーチン１００が実行される場合であるが、ＡＶ機器が、クライアント・サーバシステムのサーバに対応するような場合には、クライアントからのコマンドをリモコン送信機３３からのコマンドCMNDに置き換えればよい。さらに、そのコマンドは、ＨＤＭＩ（登録商標）、イーサネット（登録商標）、ＲＳ−２３２Ｃなどを利用して送ることができる。また、赤外線によるリモコンに代わって電波によるリモコンとすることもできる。
【００５１】
さらに、上述においては、この発明をビデオレコーダに適用した場合であるが、他のＡＶ機器やパーソナルコンピュータなどの情報機器に適用することもできる。
【００５２】
〔略語の一覧〕
ＡＶ    ：Audio and Visual
ＢＳ    ：Broadcasting Satellite
ＣＰＵ  ：Central Processing Unit
ＣＳ    ：Communication Satellite
Ｄ／Ａ  ：Digital to Analog
ＨＤＭＩ（登録商標）：High-Definition Multimedia Interface（登録商標）
ＯＳ    ：Operating System
ＲＡＭ  ：Random Access Memory
RS-232C ：Recommended Standard 232C
【図面の簡単な説明】
【００５３】
【図１】この発明の一形態を示す系統図である。
【図２】この発明を説明するための図である。
【図３】この発明の一形態を示すフローチャートである。
【図４】この発明を説明するためのタイミングチャートである。
【符号の説明】
【００５４】
１０…録画再生回路、１１…チューナ回路、１２…ハードディスクドライブ、１３…ブルーレイディスクドライブ、１４…書き込み・読み出し回路、１５…表示制御回路、１７…音声制御回路、２０…システム制御回路、２１…ＣＰＵ、２２…不揮発性メモリ、２３…ＲＡＭ、２４、２６および２８…インターフェイス回路、２７…リモコンの受信回路、３１…ディスプレイ、３２…スピーカ、３３…リモコン送信機
【図１】
2009070438.tif 000003
【図２】
2009070438.tif 000004
【図３】
2009070438.tif 000005
【図４】
2009070438.tif 000006